(57)【要約】【課題】記録媒体として光ディスク１００を用いる情報記録再生装置２００における、光ディスク１００を装着した時の起動時間の短縮が必要である。【解決手段】光ディスク１００にＲＦＩＤ１０５を設け、製造時に固有のユニークＩＤを記憶させる。情報記録再生装置２００にはＲＦモジュール２０１を設け、ＲＦＩＤ１０５と通信できるようにする。光ディスク１００が装着された際には、情報記録再生装置２００は前記の通信で得たユニークＩＤをもとに、光ディスク１００の管理情報を入手する。光ディスク１００を回転させることなく、管理情報を得ることで起動時間を短縮できる。【選択図】図３
2010061741.tif 000002
【特許請求の範囲】
【請求項１】
記録媒体として光ディスクを用いる情報記録再生装置であって、
記録媒体固有のユニークＩＤ（Ｉｄｅｎｔｉｆｉｃａｔｉｏｎ）を記憶したＩＣチップと該ＩＣチップに接続され通信を行うためのアンテナとを含むＲＦＩＤ（Ｒａｄｉｏ  Ｆｒｅｑｕｅｎｃｙ  Ｉｄｅｎｔｉｆｉｃａｔｉｏｎ）が、前記光ディスクに搭載されており、
前記光ディスクに対して情報の記録再生を行う光ディスクドライブと、
前記ＲＦＩＤと通信をするためのアンテナと通信処理回路を含むＲＦモジュールと、
前記通信で得た前記光ディスクの前記ユニークＩＤを記憶するディスク情報メモリと、
前記ディスク情報メモリに記憶された前記ユニークＩＤをもとに得た、前記光ディスクの記録内容に関する情報を含む管理情報により、前記記録再生動作を制御するドライブ制御回路と
を有したことを特徴とする情報記録再生装置。
【請求項２】
請求項１に記載の情報記録再生装置において、前記管理情報は前記光ディスクが前記光ディスクドライブに初めて装着された際には、前記光ディスクより読み出されて、前記ディスク情報メモリに記憶されることを特徴とする情報記録再生装置。
【請求項３】
請求項１に記載の情報記録再生装置において、前記情報記憶再生装置は光ディスクのユニークＩＤと管理情報を格納したサーバ装置と、ネットワークを介して情報の授受を行い、前記ドライブ制御回路は前記サーバ装置に前記ユニークＩＤを送信することにより、前記サーバ装置より前記管理情報を得ることを特徴とする情報記録再生装置。
【請求項４】
記録媒体として光ディスクを用いる情報記録再生装置であって、
記録媒体固有のユニークＩＤを記憶し、かつ前記記録媒体の記録内容に関する情報を含む管理情報を記憶する領域を有するＩＣチップと、該ＩＣチップに接続され通信を行うためのアンテナとを含むＲＦＩＤが、前記光ディスクに搭載されており、
前記光ディスクに対して情報の記録再生を行う光ディスクドライブと、
前記ＲＦＩＤと通信をするためのアンテナと通信処理回路を含むＲＦモジュールと、
前記通信で得た前記光ディスクの前記ユニークＩＤと管理情報を記憶するディスク情報メモリと、
前記ディスク情報メモリに記憶された前記光ディスクの管理情報を更新し、前記ＲＦモジュールを介して前記ＲＦＩＤに前記管理情報を随時更新記憶し、前記ディスク情報メモリに記憶された前記光ディスクの記録内容に関する情報を含む管理情報により、前記記録再生動作を制御するドライブ制御回路と
を有したことを特徴とする情報記録再生装置。
【請求項５】
請求項１または４に記載の情報記録再生装置であって、前記通信を行う際に前記ＲＦモジュールが前記ＲＦＩＤに送信する信号のパワーレベルが可変であり、複数のＲＦＩＤを検出した場合には、最も小さいパワーレベルで通信が可能であるＲＦＩＤと通信を行うことを特徴とする情報記録再生装置。
【請求項６】
請求項１または４に記載の情報記録再生装置であって、前記ＲＦモジュールは主に前記装置の外部に存在する光ディスクのＲＦＩＤと通信するための第１のＲＦモジュールと、主に装置の内部に存在する光ディスクのＲＦＩＤと通信するための第２のＲＦモジュールとを有したことを特徴とする情報記録再生装置。
【請求項７】
請求項６に記載の情報記録再生装置であって、前記通信を行う際に前記第１のＲＦモジュールが前記ＲＦＩＤに送信する信号のパワーレベルが可変であり、複数のＲＦＩＤを検出した場合には、最も小さいパワーレベルで通信が可能であるＲＦＩＤと通信を行うことを特徴とする情報記録再生装置。
【請求項８】
請求項６に記載の情報記録再生装置であって、前記第１のＲＦモジュールが前記ＲＦＩＤを有する光ディスクを検出する範囲は、使用する光ディスクの半径よりも短い範囲であることを特徴とする情報記録再生装置。
【請求項９】
請求項５または７に記載の情報記録再生装置であって、複数のＲＦＩＤを検出した場合には、ユーザにその旨を表示するための表示部を有したことを特徴とする情報記録再生装置。
【請求項１０】
請求項１または４に記載の情報記録再生装置であって、前記管理情報が得られない場合には、前記光ディスクより読み出した管理情報を使用することを特徴とする情報記録再生装置。
【請求項１１】
アンテナと、記録媒体固有のユニークＩＤを記憶したＩＣチップとを含むＲＦＩＤが搭載された光ディスクを用いる情報記録再生方法であって、
前記光ディスクとの通信によりその存在を検出する検出ステップと、
前記検出ステップが存在を検出した場合に、前記ユニークＩＤを受信する受信ステップと、
前記ユニークＩＤをもとにして、前記光ディスクの記録内容に関する情報を含む管理情報を取得する取得手段と
を有したことを特徴とする情報記録再生方法。
【請求項１２】
アンテナと、記録媒体固有のユニークＩＤと記録内容に関する情報を含む管理情報を記憶したＩＣチップとを含むＲＦＩＤが搭載された、光ディスクを用いる情報記録再生方法であって、
前記光ディスクとの通信によりその存在を検出する検出ステップと、
前記検出ステップで存在を検出した場合に、前記ユニークＩＤと管理情報を受信する受信ステップと、
情報の追加記録や削除により記録内容を書替えたかを判断する判断ステップと、
前記判断ステップが書替えたと判断した場合には、前記ＲＦＩＤの管理情報を最新のものに更新する更新ステップと
を有したことを特徴とする情報記録再生方法。
【請求項１３】
請求項１２に記載の情報記録再生方法であって、前記判断ステップにおける判断は、ユーザが前記光ディスクを取外す際に行われることを特徴とする情報記録再生方法。
【発明の詳細な説明】
【技術分野】
【０００１】
本発明は情報記録再生装置および情報記録再生方法に係る。たとえば、特に起動時間を短縮することのできる情報記録再生装置および情報記録再生方法に関するものである。
【背景技術】
【０００２】
本技術分野の背景技術として、たとえば特開２００７−３３５０２６号公報（特許文献１）がある。該公報には「［課題］光ディスクのＩＣチップと光ディスクドライブのリーダ／ライタと間での通信に及ぼす導電性筐体の影響を低減した光ディスク記録再生装置およびそのアンテナを提供する。［解決手段］樹脂製のチャッキングプレート押さえ板３５には、リーダ／ライタ側のアンテナ４０が埋め込まれ、光ディスク１０に搭載されたＩＣチップ２１はアンテナコイル２２を媒介に通信を行う。また、ターンテーブル３０およびスピンドルモータ３２を含むドライブ全体は、導電性材料の筐体５０で覆われている。そして、アンテナ４０と筐体５０との間に磁気シールド部材５１が設けられ、この磁気シールド部材５１を介してチャッキングプレート３３の支持構造体３４が筐体５０に固定される。」と記載されている（要約参照）。
【０００３】
【特許文献１】特開２００７−３３５０２６号公報
【発明の開示】
【発明が解決しようとする課題】
【０００４】
光ディスク装置の分野においては、ＤＶＤ（Ｄｉｇｉｔａｌ  Ｖｅｒｓａｔｉｌｅ  Ｄｉｓｃ）に続いて、ＢＤ（Ｂｌｕ−ｒａｙ  Ｄｉｓｃ）を記録媒体に用いる製品が普及してきている。このような状況のなかで、商品を管理するタグなどで一般に知られるようになったＲＦＩＤを光ディスク媒体に取付けることが検討されている。これは信号の送受信を行うアンテナと、信号を記憶するためのＩＣチップを一体とした小型な部品であり、やはりアンテナと信号処理回路を有するリーダライタとの間でＲＦ信号を無線で送受信することで、ＲＦＩＤを取付けた物体の属性などをホスト装置に知らせるようにしている。ＲＦＩＤのＩＣチップの電源は、この受信したＲＦ信号を整流して得るものが多い。アンテナは導線をコイル状にパターン化したアンテナコイルである場合が多い。
【０００５】
特許文献１においては、ＲＦＩＤを光ディスクに取付けた際に、光ディスク装置の筐体がＲＦＩＤとリーダライタとの間で、信号の送受信を阻害しないようにする方法を開示している。また、このＲＦＩＤを著作権保護へ応用することを開示している。
【０００６】
従来の光ディスク装置の問題点の一つに、光ディスクを装着した後、実際に使用できるまでの間の起動時間が長いことがある。この起動時間は現状では十数秒から数十秒かかっており、機動性を要するカメラ録画装置ではもちろんのこと、放送録画装置やパソコンの記録装置に用いる場合でも、より短くすることが課題となっていた。
【０００７】
本発明の目的はこの課題を解決し、起動時間を短縮した情報記録再生装置および情報記録再生方法を提供することにあり、特にＲＦＩＤを用いて起動時間を短縮した情報記録再生装置および情報記録再生方法を提供することにある。
【課題を解決するための手段】
【０００８】
上記目的は特許請求の範囲に記載の発明により達成される。たとえば、下記の特徴を有する。
【０００９】
上記目的を達成するため本発明による情報記録再生装置は、記録媒体として光ディスクを用いる情報記録再生装置であって、記録媒体固有のユニークを記憶したＩＣチップと該ＩＣチップに接続され通信を行うためのアンテナとを含むＲＦＩＤが、前記光ディスクに搭載されており、前記光ディスクに対して情報の記録再生を行う光ディスクドライブと、前記ＲＦＩＤと通信をするためのアンテナと通信処理回路を含むＲＦモジュールと、前記通信で得た前記光ディスクの前記ユニークＩＤを記憶するディスク情報メモリと、前記ディスク情報メモリに記憶された前記ユニークＩＤをもとに得た、前記光ディスクの記録内容に関する情報を含む管理情報により、前記記録再生動作を制御するドライブ制御回路とを有したことを特徴としている。
【００１０】
また本発明による別な情報記録再生装置は、記録媒体として光ディスクを用いる情報記録再生装置であって、記録媒体固有のユニークＩＤを記憶し、かつ前記記録媒体の記録内容に関する情報を含む管理情報を記憶する領域を有するＩＣチップと、該ＩＣチップに接続され通信を行うためのアンテナとを含むＲＦＩＤが、前記光ディスクに搭載されており、前記光ディスクに対して情報の記録再生を行う光ディスクドライブと、前記ＲＦＩＤと通信をするためのアンテナと通信処理回路を含むＲＦモジュールと、前記通信で得た前記光ディスクの前記ユニークＩＤと管理情報を記憶するディスク情報メモリと、前記ディスク情報メモリに記憶された前記光ディスクの管理情報を更新し、前記ＲＦモジュールを介して前記ＲＦＩＤに前記管理情報を随時更新記憶し、前記ディスク情報メモリに記憶された前記光ディスクの記録内容に関する情報を含む管理情報により、前記記録再生動作を制御するドライブ制御回路とを有したことを特徴としている。
【００１１】
本発明による情報記録再生方法は、アンテナと、記録媒体固有のユニークＩＤを記憶したＩＣチップとを含むＲＦＩＤが搭載された光ディスクを用いる情報記録再生方法であって、前記光ディスクとの通信によりその存在を検出する検出ステップと、前記検出ステップが存在を検出した場合に、前記ユニークＩＤを受信する受信ステップと、前記ユニークＩＤをもとにして、前記光ディスクの記録内容に関する情報を含む管理情報を取得する取得手段とを有したことを特徴としている。
【００１２】
また本発明による別な情報記録再生方法は、アンテナと、記録媒体固有のユニークＩＤと記録内容に関する情報を含む管理情報を記憶したＩＣチップとを含むＲＦＩＤが搭載された、光ディスクを用いる情報記録再生方法であって、前記光ディスクとの通信によりその存在を検出する検出ステップと、前記検出ステップで存在を検出した場合に、前記ユニークＩＤと管理情報を受信する受信ステップと、情報の追加記録や削除により記録内容を書替えたかを判断する判断ステップと、前記判断ステップが書替えたと判断した場合には、前記ＲＦＩＤの管理情報を最新のものに更新する更新ステップとを有したことを特徴としている。
【発明の効果】
【００１３】
本発明によれば、起動時間を短縮した情報記録再生装置および情報記録再生方法を提供でき、ユーザにとって使い勝手の良い情報記録再生装置および情報記録再生方法を実現できるという効果がある。
【発明を実施するための最良の形態】
【００１４】
以下、本発明の実施形態について図面を用いながら説明する。
図１は本発明で用いる光ディスク１００の一例を示す斜め方向からの概観図である。これはＢＤ、ＤＶＤ、ＣＤ（Ｃｏｍｐａｃｔ  Ｄｉｓｃ）など各種の光ディスクにおいて、基本的には共通している。周知のとおり光ディスク１００の中央には中心孔１０１が開いており、その周辺にはドライブの定位置に固定するためのクランプ領域１０２がある。その外側にはディスクの種類などを記録するリードイン領域１０３がある。さらにその外側には最外周部近くまで、コンテンツ記録領域１０４が拡がっている。
【００１５】
コンテンツ記録領域１０４にはコンテンツデータそのものはもちろんのこと、記録したコンテンツ情報の配置などの使用状況に関する情報、装置で使用したことにより生成されるコンテンツ記録情報なども記録される。該コンテンツ記録情報とはたとえば、記録した日時、記録したシーン数、記録されたシーン毎の長さ、シーンのタイトル、サムネイル画面情報などオプション的な情報を意味している。
【００１６】
本発明で用いる光ディスク１００の特徴は、たとえばクランプ領域１０２のように、光学的な情報の記録再生動作を妨害しない領域に、ＲＦＩＤ１０５が取付けられていることである。これはアンテナ１０５ａとＩＣチップ１０５ｂを含んだものであって、アンテナ１０５ａを用いて、光ディスク１００を用いる情報記録再生装置の有するＲＦモジュールなどと通信することにより、ＩＣチップ１０５ｂに記憶されている情報を、前記ＲＦモジュールに対して送信することができる。そのための電源は、たとえばＲＦモジュールから受信したＲＦ信号を整流して得ることができる。アンテナ１０５ａは図１では円形コイルの形状をしているが、この形状に限定されることなく、通信が可能な範囲であればどのようなものでも良い。
【００１７】
ＲＦＩＤ１０５は光ディスク１００の製造時に、たとえばクランプ領域１０２の中へ埋め込むようにしても良いし、またシートに貼り付けてシール状にしクランプ動作の邪魔にならない位置に取付けても良い。またアンテナ１０５ａは、図１では中心孔１０１の周囲に円形に配置する例を示したが、これに限定するものではなく、通信に必要な感度がとれる範囲で任意の形状、配置とすれば良い。
【００１８】
次に図２を用いて、図１の光ディスク１００を使用した場合の、カメラ付き情報記録再生装置２００の動作の一例を説明する。図２は本発明を適用したカメラ付き情報記録再生装置の概略図であり、（ａ）は大まかな概観図、（ｂ）はその表示部２５０での表示の一例を示す。カメラ付き情報記録再生装置２００には、液晶などによる表示部２５０を備えている。表示部２５０はカメラで撮像した画像を表示する表示部とは別に設けても良く、また同じものを兼用しても良い。光ディスク１００をカメラ付き情報記録再生装置２００の近くに翳す、あるいは内部のディスクドライブへ取付けるなどすると、カメラ付き情報記録再生装置２００に内蔵するＲＦモジュール（図示せず）はさきのＲＦＩＤ１０５に記憶されている、たとえばこの１つの光ディスク１００に固有のユニークＩＤを受信する。ユニークＩＤは光ディスクの製造時に、ディスクごとに異なるものが与えられており、これを知ることで１つの光ディスクが特定される。この光ディスク１００が以前このカメラ付き情報記録再生装置２００で使用されたことがある場合は、カメラ付き情報記録再生装置２００は内部のディスク情報メモリ（図示せず）に、この光ディスク１００のユニークＩＤと、種類、使用状況などの管理情報が記憶されている。そこで受信したユニークＩＤをもとに、該当する管理情報を前記ディスク情報メモリから読出し、表示部２５０へ表示する。図２（ｂ）では、このディスクの種類はＢＤ−Ｒであり、既に８つのシーンが１時間１３分２５秒にわたって記録されており、ディスクの記録領域全体の７２％が記録済みであることがわかる。また８つのシーンのうち１番目から３番目のものにつき、記録した日時と記録時間が表示されている。順送りをすれば４番目から８番目のものも表示できる。このようにして、ユニークＩＤを利用して管理情報が表示部２５０に表示される。特に前記ＲＦモジュールの発する信号パワーが大きい場合には、光ディスク１００をカメラ付き情報記録再生装置２００の内部に取付けることなく、近くに翳すだけでこの表示を出すことができ、使い勝手の向上に寄与することができる。
【００１９】
本発明においてはさらに、この光ディスク１００に取付けられた前記ＲＦＩＤを用いて、光ディスクを用いた情報記録再生装置の起動時間を短縮することを特徴としている。周知のとおり光ディスク装置においては、使用する光ディスクドライブに装着してから、実際に記録再生動作を行えるようになるまでは、装置により十数秒から数十秒程度の時間が必要である。カメラ付き情報記録再生装置では、急に記録を始めたい場合があるので、この起動時間は特に問題となるが、パソコン用のドライブや放送記録用の情報記録再生装置でも、短い方が望ましいことは言うまでもない。
【００２０】
この起動時間は、次のような（１）〜（４）の動作ステップを順次行うために必要とされる。この間は、たとえば“ディスク認識中”というような表示が表示部２５０に出るだけで、記録再生の動作はもちろん、光ディスクに既に記録されている内容も知ることはできない。
（１）光ディスクの取付けの有無を、反射光などから判別する。
（２）光ディスクを回転させレーザ光を照射して、ディスクの種類を判別する。
（３）使用する光ディスクに応じた調整学習をし、ピックアップのサーボ調整、レーザパワーの調整などを行う。
（４）光ディスクに記録された、管理情報を読み出す。
【００２１】
これから述べる実施例においては、光ディスクを装置で回転させることを要することなく、ＲＦＩＤを用いてその管理情報を取得することで、前記起動時間をたとえば数秒程度に短縮することを特徴としている。これはたとえば前記（１）〜（４）の動作ステップのうち、（１）（２）と（４）はＲＦＩＤでの通信を使って瞬時に行い、ほぼ（３）のみの時間で起動時間が決まるようにすることで実現できる。
【００２２】
この場合、光ディスクドライブとしての起動時間は数秒であるが、この程度の時間であればユーザにとっては、一瞬でカメラ付き情報記録再生装置２００が起動したに等しい。たとえばＲＦＩＤ１０５により表示部２５０の表示には瞬時に記録内容が表示され、前記（３）の処理はそのバックグラウンドで実行しているのでユーザにとっては、あたかも一瞬にして装置が起動したように見える。ここで、ユーザが次の記録や再生などの動作を選択している間にバックグランドでの（３）の処理はほとんど終了するので、ユーザはほとんど待ち時間を意識することはない。また、ユーザが記録動作を行う際は記録内容を確認せず瞬時に記録ボタンを押す場合があるが、この場合は（３）の処理は実行中であるが、ＲＦＩＤ１０５での通信によりディスクの情報が既に分かっているため、記録が可能なディスクであれば、バッファメモリ領域に先行して記録し、（３）の処理が終わった時点で、バッファの内容を光ディスクに書き戻すようにすれば、やはり、ユーザは待ち時間を意識することはないという効果がある。
【００２３】
ここで前記した管理情報についてさらに説明する。管理情報とは、ディスク自体から取得できるディスクの種別、ディスクの使用状況などの基本的な媒体情報と、個々の記録再生装置で使用したことにより生成されるコンテンツ記録情報のようなオプション的な情報を、複合したものを意味する。前記コンテンツ記録情報とはたとえば、記録した日時、記録したシーン数、記録したシーン毎の長さ、シーンのタイトル、サムネイル画面情報などを含んでいる。本発明においてこの管理情報は、その装置にて起動を高速化するのに有効な必要な情報であれば何でも良い。
【００２４】
次に図３を用いて、本発明における光ディスクを用いた情報記録再生装置の起動時間を短縮するための一実施例について説明する。図３は本発明をカメラ付き情報記録再生装置２００に適用した場合の一実施例の概略図である。これは光ディスク１００を特定のカメラ付き情報記録再生装置２００だけで使用する場合に特に有効である。初めてこの装置２００へ取付けた時だけは、従来どおり前記（１）〜（４）の動作ステップを使って起動させる必要があるが、早期に実施できるという長所がある。またカメラ画像の記録はパーソナルユースが多いので、光ディスクと記録再生装置の組み合わせが限定される場合が多く、最小の構成で安価かつ簡易的に実現できコストパフォーマンスが良いという長所もある。
【００２５】
使用する光ディスク１００をカメラ付き情報再生装置２００の近くに翳し、あるいはディスクドライブに装着するために接近させると、カメラ付き情報記録再生装置２００が内蔵するＲＦモジュール２０１は、光ディスク１００のＲＦＩＤ１０５に向けてＲＦ信号を送る。ＲＦＩＤ１０５はこれを整流して電源を得、記憶する光ディスク固有のユニークＩＤを、前記ＲＦ信号を変調してＲＦモジュール２０１へ送る。ＲＦモジュール２０１は、アンテナ２０１ａと通信処理回路２０１ｂを含み、アンテナ２０１ａを用いて信号の送受信を行い、通信処理回路２０１ｂでＲＦＩＤ１０５の送ったユニークＩＤを復調する。このユニークＩＤはドライブ制御回路２０３に送られる。ドライブ制御回路２０３はディスク情報メモリ２０２に問合せて、このユニークＩＤを有する光ディスクの管理情報を得る。これによりディスクの種類、管理情報などは瞬時に得ることができ、前記した（１）（２）（４）の動作ステップに要していた時間は大幅に短縮できるという効果がある。また記録動作を終了するごとに、その時の管理情報をディスク情報メモリ２０２に送ることで、最新の情報に更新する。なお、この光ディスクを初めて、このカメラ付き情報再生装置で使用する際には、ディスク情報メモリ２０２にその管理情報は存在しないため、従来どおり前記（１）〜（４）で示した動作ステップで起動することになる。しかし最初の一回だけであり、二回目以降は大幅に短縮することができる。
【００２６】
なお図３の場合において光ディスク１００を記録再生装置２００から取外す際に、光ディスク１００のコンテンツ記録領域の管理情報を更新するようにすれば、他の記録再生装置でも引続き使用することができる。反対にこれを行わない場合には、取外す際の終了処理の時間を短縮することができる。
【００２７】
次に図４に基づき説明する。図４は本発明をカメラ付き情報記録再生装置２００に適用した場合の、図３とは別な一実施例の概略図である。ここではカメラ付き情報記録再生装置２００が、ネットワーク３０１を介してサーバ装置３０２に接続できる点が図３とは異なる。この場合、サーバ装置３０２に全ての光ディスクのユニークＩＤと、これに対応する管理情報が格納されている。ＲＦモジュール２０１が光ディスクのユニークＩＤを受信すると、ドライブ制御回路２０３はネットワーク３０１を介してサーバ装置３０２に、このユニークＩＤを送って管理情報を問合せる。このようにして得た管理情報を使用して装置を起動する。また記録動作を終了するごとに、その時の管理情報をサーバ装置３０２に送ることで、最新の情報に更新する。図３と同様に起動時間の短縮をはかることができるうえ、他の装置と管理情報のデータが共有できて互換性を持たせることができる。この光ディスクを初めて、このカメラ付き情報再生装置で使用する際にも、管理情報をネットワークを介して得ることができる。ネットワークを介した機能の拡張、新しい版数のソフトウェアのダウンロードなどができる長所もある。また内部のディスク情報メモリ２０２には図３と同様に、ユニークＩＤと管理情報を記憶しておけば、ネットワーク設備のない場所でも起動時間の短縮をはかることができるうえ、サーバ装置３０２に格納した情報との間で互いにバックアップとして利用でき、いずれかのデータが破壊されても修復することができるという効果もある。
【００２８】
なお図４のようにサーバ装置３０２を使用する際には、ディスク情報メモリ２０２を省略することも可能である。この場合ネットワーク上に何らかの障害が発生して管理情報を取得できない時は、従来と同様に光ディスクのコンテンツ記録領域の管理情報を使用また更新し、ネットワークが復旧した時点で最新の管理情報をサーバ装置３０２へ送るようにすれば良い。
【００２９】
次に図５に基づき説明する。図５は本発明をカメラ付き情報再生装置２００に適用した場合の、さらに別な一実施例の概略図である。ここでは図３、図４と異なり、光ディスク１００のＲＦＩＤ１０５ｚには管理情報を更新しつつ記憶する機能をも有する。またカメラ付き情報記録再生装置２００のＲＦモジュール２０１ｚは、リーダライタであってＲＦＩＤ１０５ｚの記憶する管理情報を更新する動作も行うことが特徴である。記録動作を終了するごとに、ＲＦモジュール２０１ｚはその時の管理情報をＲＦＩＤ１０５ｚに送ることで、最新の情報に更新する。そのほかの動作は図３と同様である。ＲＦモジュール２０１ｚにライタ機能が必要であり、ＲＦＩＤ１０５ｚのメモリ容量を大きくとる必要があるが、図３、図４と同様に起動時間の短縮をはかることができ、また図４と異なりネットワークとの接続は不要である。他の装置と管理情報のデータが共有できて互換性を持たせることができる。この光ディスクを初めて、このカメラ付き情報再生装置で使用する際にも管理情報を、ＲＦＩＤ１０５ｚから得ることができるなどの効果がある。
【００３０】
なお、図３〜図５のいずれの場合においても、記録動作を終了するごとに管理情報を更新するとしたが、より具体的にはワンシーンを記録するごとでも良く、記録動作から他の動作に移行するごとでも良い。いずれにせよ次に記録を開始する際に、未記録部分から記録できるようにすれば良い。
【００３１】
また図１の光ディスク１００に記録する管理情報は、他の装置との互換性をとるためには、装置から取外すたびに終了処理をして更新する必要がある。もしこの互換性が必要でない場合には、ディスク情報メモリ２０２やサーバ装置３０２の管理情報を更新するにとどめ、光ディスクのコンテンツ記録領域の管理情報は更新しなくとも良い。このようにすれば、終了処理にかかる時間も短縮することができる。
【００３２】
また、このような管理情報がＲＦＩＤに記録されていない状態の光ディスクであっても当該装置のディスク情報メモリ２０２から、光ディスク１００のコンテンツ記録領域へ管理情報を書き戻せば、通常の光ディスクとして互換性が復活し、他の装置において、初回の起動時に、通常の起動を行うことにより、管理情報を光ディスク１００から取得し、ディスク情報メモリ２０２にコピーすれば２回目以降は高速起動が可能になる。
【００３３】
また図３で初めての光ディスクを使用する場合に限らず、何らかの事情でユニークＩＤや管理情報が得られない場合は、前記した（１）〜（４）で述べたような従来どおりの動作ステップで起動すると良い。
【００３４】
ＲＦモジュール２０１におけるアンテナ２０１ａの形状は、光ディスクのＲＦＩＤ１０５のアンテナ１０５ａと同様、通信ができる範囲で任意の形状とすることができる。
【００３５】
前記した本発明の効果をさらにあげれば、まず光ディスクを再生しなくとも情報記録再生装置に翳すだけで、何が記録されているかが判断できるという便利さがある。またＲＦＩＤに記憶されたユニークＩＤはＲＯＭ（Ｒｅａｄ  Ｏｎｌｙ  Ｍｅｍｏｒｙ）の状態にあるため、同じものを複製することが困難であり、違法コピーの防止が期待できる。ＲＦＩＤ付きの光ディスクは既存の光ディスク装置でも従来どおり使用でき、互換性の問題はない。またＲＦＩＤは最近普及が進んでいるうえ、ＩＣチップは小型のためコスト上はほぼ問題がない。
【００３６】
なお、ここまで情報記録再生装置としてはカメラ付きのものについて述べてきたが、これは特に機動性を要する装置であるために例としたのであって、本発明の限定条件ではない。パソコンで用いるドライブ装置や、放送記録用の据置型装置であっても、起動時間の短縮は使い勝手の向上につながり、同様の効果を有するものである。
【００３７】
次に図６を用いて、情報記録再生装置全体の動作を述べる。さきの図３〜図５で示したもののうち図３の場合を主に説明するが、図４や図５の場合も同様である。図６は本発明による情報記録再生装置の一実施例を示す回路ブロック図であり、主に光ディスクドライブを中心に描いている。
【００３８】
図６でインタフェース２２０から上側は、光ディスクドライブ２０である。インタフェース２２０を介して、図中の破線より上側の光ディスクドライブ２０は、上位システム２３０と情報信号、制御信号の授受を行う。上位システム２２０とは装置によって、カメラ、レコーダ、パソコンなどの本体を含んでいる。
【００３９】
ＲＦモジュール２０１は、アンテナ２０１ａと通信処理回路２０１ｂとを含んでいる。光ディスク１００を、情報記録再生装置のＲＦモジュール２０１に翳したり、これに取付けるために接近した際に、そのＲＦＩＤ１０５に記憶されたユニークＩＤが、ＲＦモジュール２０１により読取られる。このユニークＩＤはドライブ制御回路２０３に供給される。
【００４０】
ドライブ制御回路２０３は、たとえばユニークＩＤに対応する管理情報を記憶したディスク情報メモリ２０２にこのユニークＩＤを送り、光ディスク１００の管理情報を問合せる。管理情報を得た場合は、前記した（１）（２）（４）に当たるディスクの有無や種類の判別、管理情報読取りなどの動作ステップは瞬時に終了するので、（３）に当たる使用する光ディスクに応じた調整学習を行う。このため起動時間は、たとえば数秒程度と大幅に短縮できる。
【００４１】
まず光ディスク１００はスピンドルモータ２０４により、回転駆動される。スピンドルモータ２０４は、ドライバ回路２１０、ドライブ制御回路２０３を含むフィードバックループを構成しており、規定の速度で回転するようにしている。次いで光ディスク１００の情報を記録された側に、レーザ発生器２０６によりレーザ光がピックアップレンズ２０５を介して照射される。このレーザ光は光ディスク１００の記録面で反射され、再度ピックアップレンズ２０５を介して光ディテクタ２０８で検出される。光ディテクタ２０８で電気信号となった出力は、ＡＦＥ（Ａｎａｌｏｇ  Ｆｒｏｎｔ  Ｅｎｄ）回路２０９でアナログ演算され、サーボ制御用の誤差信号や、コンテンツ再生信号の２値化信号になる。それらの信号がドライブ制御回路２０３に与えられる。これに基づきドライブ制御回路２０３はドライバ回路２１０を介してアクチュエータ２０７を制御し、ピックアップのフォーカシング、トラッキングサーボのループゲイン調整、チルト調整等のサーボ調整を行う。また、記録可能なディスクでは、ドライブ制御回路２０３はレーザ発生器２０６を制御してその強度、およびパルス幅等を変化させ、使用する光ディスクに応じた最適な強度となるよう、レーザパワー調整を行う。このようにして前記した（３）の調整学習が完了する。
【００４２】
なお、ピックアップレンズ２０５の位置は、ドライブ制御回路２０３がドライバ２１０を介して、スレッドモータ２１１を回転駆動し、図示しないスクリューを回転させて、これに搭載されたピックアップ部を移動することで決めている。
【００４３】
以上の動作が完了すれば、情報を記録再生することができる。入力端子２３０ａから入力された、たとえばカメラからの画像信号や音声信号、あるいはデータなどの情報は、上位システム２３０から、インタフェース２２０を介してドライブ制御回路２０３に与えられ、記録に適した信号に変調され、さらにレーザ発生器２０６に与えられて記録のためのレーザ光が発生され、これがピックアップレンズ２０５を介して、光ディスク１００の所定のコンテンツ記録領域に照射されることで、情報が記録される。また、レーザ発生器２０６の発生したレーザ光が光ディスク１００のコンテンツ記録領域に照射され、記録面で変調された反射光をピックアップレンズ２０５を介して、光ディテクタ２０８で受光し、ここで電気信号となり、ＡＦＥ回路２０９へ与えられ、ここで２値化された再生信号となる。さらにドライブ制御回路２０３でエラー訂正処理等の復調がなされ、インタフェース２２０を介して、上位システム２３０へ与えられ、ここでたとえば画像信号、音声信号、データ信号などに復元されて出力端子２３０ｂに出力され、必要な表示をするなどのために使用される。
【００４４】
次に図７を用いて、図６とは別な例を示す。図７は本発明による情報記録再生装置の、別な一実施例を示す回路ブロック図である。図６との違いはディスク情報メモリ２０２が、ドライブ制御回路２０３ではなく、上位システム２３０に接続されていることである。他は図６と同様であるので、その動作説明は省略する。
【００４５】
図６の一実施例は、たとえばカメラ付きの情報記録再生装置に適している。これに対して図７は、放送記録用の据置型情報記録装置やパソコン用の情報記録再生装置に適している。
図６は基本的な構成であり、一つの光ディスクドライブ２０に対しＲＦモジュール２０１とディスク情報メモリ２０２が存在しているため、上位システム２３０に情報メモリがあるか、ネットワークのサーバに接続されているか否かによらず、一つの光ディスクドライブとして機能することが可能である。これに対し図７では、上位システム２０にディスク情報メモリ２０２が存在するため、一つの上位システム２３０に光ディスクドライブを複数接続した場合や、ネットワークを介し他のパソコンや記録再生装置と接続した場合、管理情報の共有化が構築しやすいメリットがある。
【００４６】
次に図８を用いて、ＲＦモジュール２０１の実装状態につき説明する。図８は本発明による情報記録再生装置２００のＲＦモジュール２０１の、実装状態の一実施例を示す概略図である。２４０は情報記録再生装置２００の外装であり、２４１は光ディスク１００を着脱する際に開けられる蓋である。２０４ａは光ディスク１００を固定するためのクランプ部であり、さきのスピンドルモータ２０４の回転軸に直結している。ここではＲＦＩＤ１０５を有する光ディスク１００がクランプ部２０４ａに固定された状態を、光ディスク１００の横方向から描いている。アンテナ２０１ａと通信処理回路２０１ｂを含むＲＦモジュール２０１は、一例として前記の蓋２４１に取付けられている。
【００４７】
図８は情報記録再生装置２００が、一つのＲＦモジュール２０１を有する場合である。ＲＦモジュール２０１を光ディスク１００の正面にある蓋２４１などに取付ければ、光ディスク１００が情報記録再生装置２００の内部にある場合に、ＲＦＩＤ１０５とＲＦモジュール２０１との間で通信ができることはもちろんである。また、光ディスク１００が情報記録再生装置２００の外部にある場合でも、これをＲＦモジュール２０１の付近で翳すなどすれば同様に通信ができる。したがいクランプ部２０４ａに取付けて回転させなくとも、光ディスク１００の管理情報を得ることができる。
【００４８】
ＲＦモジュール２０１がＲＦＩＤ１０５に向けて送信する信号の強度により、通信できる距離が変わる。このため図８の実施例においては、ＲＦモジュールの送信する信号に複数のパワーレベルを持たせておき、小さいレベルで通信ができる場合には、光ディスク１００が情報記録再生装置２００の内部にあると判断し、大きいレベルでのみ通信ができる場合には、光ディスク１００が情報記録再生装置２００の外部にあると判断するようにできる。外部にある場合には、ユーザが光ディスクの記録内容を調べるために翳しているものとして前記した通信を行うにとどめ、一方で新たに内部にあると判断された段階では装置の使用開始が予想できるので、情報記録再生装置２００の全体を起動するなどの利用方法が考えられる。
【００４９】
なお、光ディスク装着の有無を検出する場合は、図示しない蓋開閉スイッチが開きから閉じるに変化したときに、最小出力でユニークＩＤが取得できたか否かでディスクの装着を判別する。この最小出力とは検出範囲を数ｍｍ程度とし、外部の光ディスクの検出は不可なレベルとする。
【００５０】
また、外部の光ディスクを確認したいとき、常にＲＦモジュールから送信していると、モバイル機器等ではバッテリー駆動が多いいため、消費電力の観点から、好ましくない場合がある。この場合、検出したいときだけＲＦモジュールがアクティブになるよう、検出スイッチやボタンを設け、ユーザが使用するときだけ操作するようにすると良い。
【００５１】
図８のようにＲＦモジュール２０１が一つの場合であっても、ここで複数の光ディスクが通信できる距離に置かれる場合がある。
まず、ＲＦモジュール２０１が情報記録再生装置２００の内部にある光ディスク１００と通信しようとした際に、同時にユーザが外部で別な光ディスクを翳すなどすることが考えられる。この時は、すぐに記録再生に用いる情報記録再生装置２００の内部にある光ディスク１００に対する動作が重要であるため、これと通信して得たユニークＩＤなどを元に前記した処理を行う。これが完了した後に外部にある光ディスクに対する処理を行っても良い。蓋開閉スイッチを絡めた具体例で記述にすると、スイッチが開から閉となることをトリガにして、その時点で内部にディスク装着があれば内部のディスク起動を最優先することにする。
【００５２】
また、情報記録再生装置２００の外部の通信可能な範囲に、複数の光ディスクがあることが考えられる。この場合はＲＦモジュール２０１がＲＦＩＤに送る信号のパワーレベルを順次絞り、一つの光ディスクのみと通信できる状態にして、これと通信して得たユニークＩＤなどを元に前記した処理を行う。多くの場合、ＲＦモジュール２０１に最も近い位置にある光ディスクと通信することとなる。またこの時ＲＦモジュール２０１がどの光ディスクと通信をしたのか、ユーザが分からなくなることが考えられる。さきの図２で示した表示部２５０において、外部の複数の光ディスクと通信できる状態である旨を表示することにより、ユーザは管理情報を知りたい光ディスクを改めて間近に翳すなどして、光ディスクの管理情報を正しく確認できるようにしても良い。また、検出範囲を使用する光ディスクの半径の長さより短い範囲にすることにより、ＲＦモジュール側と光ディスク側のアンテナの指向特性が良好に保たれ、誤検出を減らすことが出来る。
【００５３】
次に図９を用いて、図８とは別な場合の実施状態につき説明する。図９において図８と異なる点は、ＲＦモジュールとして２０１と２０１０の二つを有しており、その間にたとえばハードディスクドライブ２６０を有していることである。現在カメラ付きの情報記録再生装置では、まずハードディスクドライブ２６０に記録を行い、事後に必要に応じて編集をしながら光ディスク１００へダビングするものがある。ハードディスクドライブ２６０はそのために設けられたものであり、光ディスク１００の取付けと取外しの邪魔にならないように蓋２４１とともに移動する。この場合、アンテナの発生する電磁界はハードディスクドライブ２６０でシールドされるため、これを隔ててＲＦモジュール２０１とＲＦＩＤ１０５が通信を行うことは困難なことが多い。そこで新たにハードディスクドライブ２６０の内側に、アンテナ２０１０ａと通信処理回路２０１０ｂを含むＲＦモジュール２０１０を設けている。情報記録再生装置２００の内部にある光ディスクと通信する場合にはＲＦモジュール２０１０が、外部で翳すなどした光ディスクと通信する場合にはＲＦモジュール２０１が作用する。なお２６０はハードディスクドライブ以外のものであっても同様な方法が適用でき、また特に間を隔てる構成要素がない場合でも同様に二つのＲＦモジュールを用いる方法が適用でき、いずれも本実施例の範疇にある。特にパソコンや、据置型記録再生装置ではディスクドライブ部は筐体の内部に配置されることが多く、内部用と外部用の２つのアンテナを持たせ、後者を装置の外装に近い場所へ設けると良い。
【００５４】
図９では二つのＲＦモジュール２０１、２０１０を有するために、同時に双方で光ディスクを検出する場合がある。この時は、すぐに記録再生に用いる情報記録再生装置２００の内部にある光ディスク１００に対する動作が重要であるため、優先してＲＦモジュール２０１０で得たユニークＩＤなどを元に前記した処理を行う。蓋開閉スイッチを絡めた具体例で記述にすると、スイッチが開から閉となることをトリガにして、その時点で内部にディスク装着があれば内部のディスク起動を最優先することにする。これが完了した後に外部にある光ディスクに対する処理を行っても良い。ＲＦモジュール２０１で外部にある複数の光ディスクと通信が可能である場合の処置は、さきに図８で述べたものと同様で良いため説明を省略する。図９では２つのＲＦモジュールを搭載しているが、前記の通信処理回路を一つにし、アンテナ部のみを２つ設けて切り替えて使う方法も考えられる。
【００５５】
次に図１０、図１１を用いて、前記した図３〜図５の実施例に対する動作フローを説明する。
まず図１０は図３および図４の実施例に対する動作フロー図である。まず固有のユニークＩＤをＲＦＩＤ１０５に記憶した光ディスク１００が、情報記録装置２００に取付けられるかその外部へ翳されると、ＲＦモジュール２０１は光ディスク１００を検出し、ＲＦＩＤ１０５と通信できる状態となる。図１０のステップＳ１に相当する。前記のように検出した場合は図中のＹＥＳに相当する。検出しない場合は図中のＮＯに相当し、引続きＹＥＳとなるまで待機する。
【００５６】
次いでＲＦモジュール２０１は通信を行い、ＲＦＩＤ１０５に記憶された前記ユニークＩＤを受信する。図１０のステップＳ２に相当する。
【００５７】
ドライブ制御回路２０３は、ＲＦモジュール２０１から得たユニークＩＤをもとに、光ディスク１００の種類、使用状況を示す管理情報を取得する。管理情報は図３の一実施例においては、情報記録装置２００に内蔵するディスク情報メモリ２０２から、図４の実施例においては、ネットワーク３０１を介して外部のサーバ装置３０２から取得するようにしている。図１０のステップＳ３に相当する。
【００５８】
なお、ステップＳ３で管理情報が得られない場合は、前記した従来の方法で管理情報を得るようにする。
【００５９】
次に図１１は図５の一実施例に対する動作フロー図である。ここではＲＦＩＤ１０５ｚにはユニークＩＤのほかに、前記した管理情報も記憶されている。ステップＳ１は図１０と同様で良いので説明を省略する。
ＲＦモジュール２０１ｚは通信を行い、ＲＦＩＤ１０５ｚに記憶された前記ユニークＩＤと管理情報を受信する。図１１のステップＳ１１に相当する。
【００６０】
次いでドライブ制御回路２０３はユーザが光ディスク１００を、取外す動作をするかを監視する。図１１のステップＳ１２に相当する。取外さない場合は図中のＮＯに相当し、引続きＹＥＳとなるまで監視を続ける。
【００６１】
ステップＳ１２の結果がＹＥＳである場合は、ステップＳ１で前記光ディスク１００を検出した後に、情報の追加記録や削除により記録内容を書替えたかを、ドライブ制御回路２０３が判断する。図１１のステップＳ１３に相当する。
【００６２】
ステップＳ１３の結果がＹＥＳである場合には、ＲＦモジュール２０１ｚはＲＦＩＤ１０５ｚと通信を行い、後者に記憶される管理情報を更新する。ＮＯである場合には、管理情報は変わらないので更新しない。
【００６３】
なお前記したとおり管理情報の更新は、以上の説明のように光ディスクを取出す際に行っても良く、新しい記録などが行われるごとに更新しても良く、いずれも本発明の範疇にある。
【００６４】
以上、本発明について詳細に説明したが、本発明はここに記載された情報記録再生装置および情報記録再生方法の実施例に限定されるものではなく、他の情報記録再生装置および情報記録再生方法にも広く適用できることは言うまでもない。
【００６５】
また情報の記録と再生の双方の機能がある装置ないし方法につき述べてきたが、たとえばカメラ付き記録装置ないし方法のように、記録機能だけの装置ないし方法に対しても本発明は同様に適用することができる。
【図面の簡単な説明】
【００６６】
【図１】本発明で用いる光ディスクの一例を示す斜め方向からの概観図である。
【図２】本発明を適用したカメラ付き情報記録再生装置の概略図である。
【図３】本発明の一実施例を示すシステムブロック図である。
【図４】本発明の別な一実施例を示すシステムブロック図である。
【図５】本発明のさらに別な一実施例を示すシステムブロック図である。
【図６】本発明による情報記録再生装置の一実施例を示す回路ブロック図である。
【図７】本発明による情報記録再生装置の、別な一実施例を示す回路ブロック図である。
【図８】本発明による情報記録再生装置のＲＦモジュールの、実装状態の一実施例を示す概略図である。
【図９】本発明による情報記録再生装置のＲＦモジュールの、別な実装状態の一実施例を示す概略図である。
【図１０】本発明の一実施例を示す動作フロー図である。
【図１１】本発明の別な一実施例を示す動作フロー図である。
【符号の説明】
【００６７】
２０：光ディスクドライブ、１００：光ディスク、１０５：ＲＦＩＤ、２００：カメラ付き情報記録再生装置、２０１：ＲＦモジュール、２０２ディスク情報メモリ、２０３：ドライブ制御回路、３０１：ネットワーク、３０２：サーバ装置。
【図１】
2010061741.tif 000003
【図２】
2010061741.tif 000004
【図３】
2010061741.tif 000005
【図４】
2010061741.tif 000006
【図５】
2010061741.tif 000007
【図６】
2010061741.tif 000008
【図７】
2010061741.tif 000009
【図８】
2010061741.tif 000010
【図９】
2010061741.tif 000011
【図１０】
2010061741.tif 000012
【図１１】
2010061741.tif 000013